(57)【要約】      （修正有）【課題】非接触ＩＣタグがスキミングされることを防止できる電子鍵装置の提供。【解決手段】錠前を施開錠する鍵部２と、施開錠の際に利用者に保持される保持部３と、該保持部３に設けられて非接触通信を行う非接触ＩＣタグ２０とを備えた電子鍵装置１であって、前記保持部３を、一部に開口部５ａを有して該開口部５ａ以外では前記非接触ＩＣタグ２０の全体を囲繞する本体部５と、該本体部５の開口部５ａに開閉可能に装着された開閉シャッタ４とで構成し、該本体部５および開閉シャッタ４を、前記非接触ＩＣタグ２０の通信波を遮断するソフトフェライトとポリカーボネイトの混合樹脂で形成した。【選択図】図１
2008050823.tif 000002
【特許請求の範囲】
【請求項１】
錠前を施開錠する鍵部と、施開錠の際に利用者に保持される保持部と、該保持部に設けられて非接触通信を行う非接触ＩＣ媒体とを備え、
前記保持部を、一部に開口部を有して該開口部以外では前記非接触ＩＣ媒体の全体を囲繞する囲繞部と、該囲繞部の開口部に開閉可能に装着された開閉シャッタとで構成し、
該囲繞部および開閉シャッタを、前記非接触ＩＣ媒体の通信波を遮断する通信波遮断部材で形成した
電子鍵装置。
【請求項２】
前記非接触ＩＣ媒体をループアンテナとＩＣチップとで構成し、
前記開口部を、前記ループアンテナの内と外とを跨ぐ位置に備えた
請求項１記載の電子鍵装置。
【請求項３】
前記通信波遮断部材は、通信波を遮断する通信波遮断素材を樹脂に練り込んだ部材で構成した
請求項１または２記載の電子鍵装置。
【請求項４】
前記通信波遮断素材として、フェライト、ソフトフェライト、パーマロイ、酸化鉄、またはファインメットを用いた
請求項３記載の電子鍵装置。
【発明の詳細な説明】
【技術分野】
【０００１】
この発明は、例えば建物のドアや自動車のドアや引き出し等に設けられた錠前を施開錠するような電子鍵装置に関し、特に非接触通信を利用する電子鍵装置に関する。
【背景技術】
【０００２】
従来、自動車のドアの施開錠やエンジンの始動を実行する車両用電子キー装置が提案されている（特許文献１参照）。この車両用電子キー装置は、電子キーのプッシュボタンをＯＮすると、車載装置と電子キーとが無線通信して互いのＩＤコードを照合し、照合ＯＫであればドアの施開錠やエンジンの始動を行うものである。
【０００３】
一方、近年では、無線通信を行うものとして、非接触ＩＣタグが提供されてきており、この非接触ＩＣタグを利用した施錠管理システムも提案されている（特許文献２参照）。この施錠管理システムは、読取装置が非接触ＩＣタグから鍵固有の情報を非接触で受信し、正規の鍵か否か判定するものである。
【０００４】
しかし、非接触ＩＣタグは、非接触で通信できることから、満員電車に乗車している間などに不正な読取装置を用いたスキミングによって情報が不正に取得される可能性があった。
【０００５】
【特許文献１】特開２００５−２０７０８３号公報
【特許文献２】特開２００３−１９３７１７号公報
【発明の開示】
【発明が解決しようとする課題】
【０００６】
この発明は、上述の問題に鑑み、スキミングされることを防止できる電子鍵装置を提供し、利用者の満足度を向上させることを目的とする。
【課題を解決するための手段】
【０００７】
この発明は、錠前を施開錠する鍵部と、施開錠の際に利用者に保持される保持部と、該保持部に設けられて非接触通信を行う非接触ＩＣ媒体とを備え、前記保持部を、一部に開口部を有して該開口部以外では前記非接触ＩＣ媒体の全体を囲繞する囲繞部と、該囲繞部の開口部に開閉可能に装着された開閉シャッタとで構成し、該囲繞部および開閉シャッタを、前記非接触ＩＣ媒体の通信波を遮断する通信波遮断部材で形成した電子鍵装置であることを特徴とする。
【発明の効果】
【０００８】
この発明により、スキミングされることを防止できる電子鍵装置を提供し、利用者の満足度を向上させることができる。
【発明を実施するための最良の形態】
【０００９】
この発明の一実施形態を以下図面と共に説明する。  
図１（Ａ）は閉状態の電子鍵装置１の平面図を示し、図１（Ｂ）は開状態の電子鍵装置１の平面図を示し、図２（Ａ）は閉状態の電子鍵装置１のＡ−Ａ矢視断面図を示し、図２（Ｂ）は開状態の電子鍵装置１のＢ−Ｂ矢視断面図を示す。
【００１０】
電子鍵装置１は、錠前を物理的に施開錠する鍵部２と利用者が保持する保持部３とで構成されている。
【００１１】
保持部３は、上面に開口部５ａが形成された本体部５と、該本体部５の開口部５ａを囲繞する位置から一部開放する位置へスライド移動する開閉シャッタ４とで構成されている。
【００１２】
この開閉シャッタ４は、閉状態で図１（Ａ）に示すように開口部５ａを完全に覆って隙間のない状態となり、開状態で図１（Ｂ）に示すように開口部５ａ内に開放空間５ｂを形成する。この開放空間５ｂの底には、非接触ＩＣタグ２０の外装２５が視認できる。  
本体部５は、上面に開口部５ａが設けられ、該開口部５ｂ内に非接触ＩＣタグ２０が収納されている。また、開口部５ｂの上方は開閉シャッタ４がスライド移動可能に装着されている。本体部５の一側面には、鍵部２の基部が埋設されている。
【００１３】
開閉シャッタ４と本体部５は、いずれもソフトフェライトとポリカーボネイトを約５０％ずつ混合した混合樹脂材により形成されている。なお、開閉シャッタ４と本体部５の材料は、これに限らず適宜の通信波遮断素材と樹脂素材を適宜の割合で混合して構成することができる。
【００１４】
通信波遮断素材としては、適宜の軟磁性素材を用いることができ、例えばフェライト、ソフトフェライト、パーマロイ、酸化鉄、ファインメット（登録商標）、またはこれらの複数の素材の混合素材で構成することができる。詳述すると、通信波遮断素材として、アルミや銅など、電磁派を乱反射するような素材を用いると、開閉シャッタ４を開状態としても非接触通信が実現できない。しかし、フェライト、ソフトフェライト、パーマロイ、酸化鉄、またはファインメット（登録商標）といった軟磁性素材を用いることによって、開閉シャッタ４の開閉により非接触ＩＣタグ２０の非接触通信の可否を切り替えることができる。
【００１５】
樹脂としては、ポリカーボネイトやＡＢＳやポリスチレン等、適宜の樹脂素材を用いることができる。
【００１６】
これらの通信波遮断素材および樹脂素材は、適宜の割合で混合して用いることができる。このように樹脂素材に通信波遮断素材を含有させることで、成型が容易になる。
【００１７】
本体部５の開口部５ａ内には、非接触ＩＣタグ２０が埋設されている。この非接触ＩＣタグ２０は、ＩＣチップ２１とループアンテナ２２が外装２５で被覆されて構成されている。外装２５は、ＰＥＴ等の電磁波（通信波）を通過させる適宜の素材で構成されている。ループアンテナ２２は、平面視ループ状に形成されており、このループアンテナ２２の一部が、平面視すると開放空間５ｂ内に位置するように構成されている。言い換えると、開放空間５ｂは、平面視するとループアンテナ２２の内側と外側を跨ぐように構成されている。また、非接触ＩＣタグ２０は、上面を除いて全ての面に本体部５が隙間なく接触しており、上面には閉状態の開閉シャッタ４が隙間なく接触している。
【００１８】
図３は、非接触ＩＣタグ２０のブロック図を示す。  
非接触ＩＣタグ２０は、ＩＣチップ２１およびループアンテナ２２で構成されている。
【００１９】
ＩＣチップ２１は、ループアンテナ２２と並列にキャパシタ４１が接続されており、該キャパシタ４１の後段のアナログフロントエンド４２からコマンド４３および伝送クロック４４がコントロールマイクロプロセッサ４６に入力される。
【００２０】
コントロールマイクロプロセッサ４６は、前記コマンド４３および伝送クロック４４を受けて、ＲＯＭ、ＲＡＭ、およびＥＥＰＲＯＭ等で構成されるメモリ４８に対してデータの読み書きを実行し、必要に応じて暗号処理４７も実行する。またコントロールマイクロプロセッサ４６は、変調器４５にデータを送信する。
【００２１】
変調器４５は、コントロールマイクロプロセッサ４６から受信したデータをアナログ信号に変調し、アナログフロントエンド４２に送る。
【００２２】
このように構成された非接触ＩＣタグ２０は、図示省略する車両などの錠前に備えられた読取装置から応答要求信号を受信すると、この応答要求信号の誘導起電力によって起動し、コントロールマイクロプロセッサ４６がメモリ４８に記憶されているＩＤなどの情報に暗号処理４７を行ってループアンテナ２２から読取装置へ応答送信する。
【００２３】
以上の構成により、電子鍵装置１は、開閉シャッタ４が閉状態の間、電磁波（通信波）が遮断され、非接触ＩＣタグ２０の非接触通信が不可能な状態となる。利用者によって開閉シャッタ４が開方向へスライド移動されると、非接触ＩＣタグ２０が非接触通信可能な状態となる。この状態で図示省略する錠前に設けられた読取装置から応答要求信号を受信すると、この応答要求信号から誘導起電力を得て、応答要求信号に従った応答を行う。この応答としては、メモリ４８に記憶されているＩＤの応答送信などが含まれる。この応答送信を受信した読取装置はＩＤの認証によって正規の電子鍵装置１か否か判定し、正規の電子鍵装置１であればドアの開錠や車両のエンジンの始動といった動作を実行することができる。
【００２４】
電子鍵装置１を使用しないときは、利用者が開閉シャッタ４を閉状態にしておけば、非接触ＩＣタグ２０が開閉シャッタ４と本体部５とで完全に囲繞され、外部からの電磁波（通信波）が非接触ＩＣタグ２０に到達しない状態となる。
【００２５】
以上に説明した電子鍵装置１により、不正なスキミング等が行われることを防止でき、他人にＩＤ等が不正取得されることを防止できる。  
また、電子鍵装置１の複製品が不正に製造されることも防止でき、セキュリティレベルの高い電子鍵装置１を提供することができる。
【００２６】
また、非接触ＩＣタグ２０の周囲に設けられている本体部５は、軟磁性素材を用いた部材で構成されているため、読取装置からの通信波および非接触ＩＣタグ２０が送信する通信波を増強することができ、良好な通信状態を得ることができる。
【００２７】
なお、開閉シャッタ４はスライド移動式としたが、これに限らず、回転開閉式や折りたたみ開閉式など、適宜の開閉方式を採用してもよい。  
また、開閉シャッタ４と本体部５は、素材自体に電磁波（通信波）の通過を防止する軟磁性体を用いたが、これにかぎらず、開口部５ａの内面全面と開閉シャッタ４の内側面全面に軟磁性体を塗装する構成としてもよい。この場合でも、閉状態で非接触ＩＣタグ２０を完全に囲繞し、スキミングされることを防止できる。
【００２８】
この発明の構成と、上述の実施形態との対応において、
この発明の囲繞部は、実施形態の本体部５に対応し、
以下同様に、
非接触ＩＣ媒体は、非接触ＩＣタグ２０に対応し、
通信波遮断部材は、ソフトフェライトとポリカーボネイトを約５０％ずつつ混合した樹脂材に対応し、
通信波遮断素材は、ソフトフェライトに対応し、
樹脂は、ポリカーボネイトに対応するが、
この発明は、上述の実施形態の構成のみに限定されるものではなく、多くの実施の形態を得ることができる。
【図面の簡単な説明】
【００２９】
【図１】電子鍵装置の正面図による開閉説明図。
【図２】電子鍵装置の断面図による開閉説明図。
【図３】非接触ＩＣタグの構成を示すブロック図。
【符号の説明】
【００３０】
１…電子鍵装置、２…鍵部、３…保持部、４…開閉シャッタ、５…本体部、５ａ…開口部、２０…非接触ＩＣタグ、２１…ＩＣチップ、２２…ループアンテナ
【図１】
2008050823.tif 000003
【図２】
2008050823.tif 000004
【図３】
2008050823.tif 000005